(57)【要約】【課題】  粉砕や選別に多大な手間がかからずに廃棄された飲料用ボトルを有効に利用することができる小物入れ箱組立キット及び小物入れ箱を提供する。【解決手段】  使用済みの飲料用ボトル６０を１個若しくは複数挿入可能な上孔１２が形成された上板１０と、下方に上孔１２に対向して飲料用ボトル６０を複数挿入可能な中板２０と、下面に密着して飲料用ボトル６０の下面を支持する底板３０とを設ける。上板１０、中板２０及び底板３０の両側に設けられた各係合部１４、２４、３４をそれぞれ挿入可能な挿通孔４２、４２Ａが形成された一対の側板４０を設ける。挿通孔４２、４２Ａに挿入された状態で側板４０の外側となる位置の係合部１４、２４、３４に形成された各係止孔１４Ａ、２４Ａ、３４Ａに挿入されるくさび片４６を設ける。上板１０、中板２０、底板３０、側板４０及びくさび片４６を一枚若しくは複数枚のベース板５６に切り離し可能に構成する。【選択図】          図１
2005334569.tif 000002
【特許請求の範囲】
【請求項１】
両側方に突出した係合部を備え、使用済みの飲料用ボトルを１個若しくは複数挿入可能な寸法の上孔が１個若しくは複数形成された上板と、
該上板の下方に所定の間隔を存して設けられ、両側方に突出した係合部を備えると共に、前記上孔に対向して前記飲料用ボトルを１個若しくは複数挿入可能な寸法の中孔が１個若しくは複数形成された中板と、
該中板の下面に密着して設けられ、両側方に突出した係合部を備えると共に、前記飲料用ボトルの下面を支持するための底板と、
前記上板、中板及び底板の両側に設けられ、前記各係合部をそれぞれ挿入可能な挿通孔が形成された一対の側板と、
前記挿通孔に挿入された状態で前記側板の外側となる位置の前記各係合部に形成された係止孔にそれぞれ挿入されるくさび片とから成り、
前記上板、中板、底板、側板及び各くさび片を、一枚若しくは複数枚のベース板に切り離し可能に構成したことを特徴とする小物入れ箱組立キット。
【請求項２】
前記上板、中板、底板、側板及びくさび片は、前記ベース板より手で切り離し可能であることを特徴とする請求項１の小物入れ箱組立キット。
【請求項３】
請求項１又は請求項２の各側板の挿通孔に前記上板、中板及び底板の各係合部をそれぞれ挿入し、前記各係止孔に前記くさび片をそれぞれ挿入して組み立てた小物入れ箱の上孔及び中孔に複数の使用済み飲料用ボトルを挿入して構成された小物入れ箱。
【請求項４】
前記飲料用ボトルは、口径の大成るアルミニウムボトルであることを特徴とする請求項３の小物入れ箱。
【請求項５】
前記アルミニウムボトルの口径は、３０ｍｍ以上であることを特徴とする請求項４の小物入れ箱。
【請求項６】
前記飲料用ボトルは、透視可能なペットボトルであることを特徴とする請求項３の小物入れ箱。
【発明の詳細な説明】
【技術分野】
【０００１】
本発明は、使用済み飲料用ボトルを有効に利用することが可能な小物入れ箱組立キット及び小物入れ箱に関するものである。
【背景技術】
【０００２】
近年、スーパーマーケットや自動販売機などで様々な飲料水が販売されているが、これらの飲料水は主にペットボトルやアルミニウムボトルなどの飲料用ボトルに収納され販売されている。これらの飲料用ボトルに収納した飲料水の消費量は年々増大してきており、それに伴って使用済み飲料用ボトルの廃棄量も増大してきている。使用済み飲料用ボトルの廃棄量が増大すると、地球環境汚染の問題から、使用済み飲料用ボトルを回収してカーペットや卵等の包装用フィルム或いは繊維等、再商品化（リサイクル）が義務付けられている。
【０００３】
そこで、基台上に設置された基枠に選別移動床を傾斜して設け、この選別移動床の下方に送風ファンを設置する。そして、選別移動床面にアルミニウム空缶を破砕してアルミニウムチップとガラス、アルミニウム鋳物、鉄板等の異物などを含むアルミニウム選別原料を投入して、送風ファンから送風された空気を選別移動床面に吹き上げて、比重の大きい異物を上端方向に、比重の小さい被選別物質を下端方向に分離移動させることにより、アルミニウムチップ以外の異物を分離除去してアルミニウムだけを取り出してリサイクルを行う廃棄物処理が行われていた（特許文献１参照）。
【０００４】
また、ペットボトル廃棄物を粗製ポリエステルフレークとし、これに過剰の精製エチレングリコールを加えて触媒の存在下で解重合を行い粗製ビス−β−ヒドロキシエチルテレフタレート（ＢＨＥＴ）を得た後、ポリエステル樹脂以外のポリエチレンなどを除去する。そして、得られた粗製ＢＨＥＴと粗製エチレングリコールの二種混合溶液に水を加えて高純度ポリエステルポリマーを得ることによりペットボトルのリサイクルを行う廃棄物処理が行われていた（特許文献２参照）。
【０００５】
【特許文献１】特開平１１−２６２７３３号公報
【特許文献２】特開２０００−５３８０２号公報
【発明の開示】
【発明が解決しようとする課題】
【０００６】
しかしながら、廃棄されたアルミニウムボトルやペットボトルなどの飲料用ボトルのリサイクルを行う場合、それらの飲料用ボトルを破砕して選別しなくてはならない。このため、飲料用ボトルの粉砕や選別に多大な手間がかかってしまうという問題があった。
【０００７】
本発明は、係る従来技術の課題を解決するために成されたものであり、粉砕や選別に多大な手間がかからず廃棄された飲料用ボトルを有効に利用することができる小物入れ箱組立キット及び小物入れ箱を提供することを目的とする。
【課題を解決するための手段】
【０００８】
即ち、本発明の小物入れ箱組立キットは、両側方に突出した係合部を備え、使用済みの飲料用ボトルを１個若しくは複数挿入可能な寸法の上孔が１個若しくは複数形成された上板と、この上板の下方に所定の間隔を存して設けられ、両側方に突出した係合部を備えると共に、上孔に対向して飲料用ボトルを１個若しくは複数挿入可能な寸法の中孔が１個若しくは複数形成された中板と、この中板の下面に密着して設けられ、両側方に突出した係合部を備えると共に、飲料用ボトルの下面を支持するための底板と、上板、中板及び底板の両側に設けられ、各係合部をそれぞれ挿入可能な挿通孔が形成された一対の側板と、各挿通孔に挿入された状態で側板の外側となる位置の各係合部に形成された係止孔にそれぞれ挿入されるくさび片とから成り、上板、中板、底板、側板及び各くさび片を、一枚若しくは複数枚のベース板に切り離し可能に構成したことを特徴とする。
【０００９】
また、請求項２の発明の小物入れ箱組立キットは、上記に加えて、上板、中板、底板、側板及びくさび片は、ベース板より手で切り離し可能であることを特徴とする。
【００１０】
また、請求項３の発明の小物入れ箱は、請求項１又は請求項２の各側板の挿通孔に上板、中板及び底板の各係合部をそれぞれ挿入し、各係止孔にくさび片をそれぞれ挿入して組み立てた小物入れ箱の上孔及び中孔に複数の使用済み飲料用ボトルを挿入することにより構成されていることを特徴とする。
【００１１】
また、請求項４の発明の小物入れ箱は、請求項３において、飲料用ボトルは、口径の大成るアルミニウムボトルであることを特徴とする。
【００１２】
また、請求項５の発明の小物入れ箱は、請求項４において、アルミニウムボトルの口径は、３０ｍｍ以上であることを特徴とする。
【００１３】
また、請求項６の発明の小物入れ箱は、請求項３において、飲料用ボトルは、透視可能なペットボトルであることを特徴とする。
【発明の効果】
【００１４】
以上詳述した如く本発明によれば、両側方に突出した係合部を備え、使用済みの飲料用ボトルを１個若しくは複数挿入可能な寸法の上孔が１個若しくは複数形成された上板と、この上板の下方に所定の間隔を存して設けられ、両側方に突出した係合部を備えると共に、上孔に対向して飲料用ボトルを１個若しくは複数挿入可能な寸法の中孔が１個若しくは複数形成された中板と、この中板の下面に密着して設けられ、両側方に突出した係合部を備えると共に、飲料用ボトルの下面を支持するための底板と、上板、中板及び底板の両側に設けられ、各係合部をそれぞれ挿入可能な挿通孔が形成された一対の側板と、各挿通孔に挿入された状態で側板の外側となる位置の各係合部に形成された係止孔にそれぞれ挿入されるくさび片とから成り、上板、中板、底板、側板及び各くさび片を、一枚若しくは複数枚のベース板に切り離し可能に構成したので、ベース板から上板、中板、底板、側板及びくさび片などの部品を切り離さなければ、それらの部品が紛失してしまうのを確実に防止することができるようになると共に容易に持ち運ぶことができる。また、一枚若しくは複数枚のベース板に小物入れ箱を構成する上板、中板、底板、側板及びくさび片などの部品を切り離し可能に設けているので、小物入れ箱組立キットの全部品点数を容易に把握することができる。これにより、例えば小物入れ箱組立キットを店頭に並べての販売、持ち帰りに便利である。
【００１５】
特に、請求項２の如く上板、中板、底板、側板及びくさび片は、ベース板より手で切り離し可能に構成しているので、格別な切り離し工具を使用しなくてもベース板から上板、中板、底板、側板及びくさび片などの部品を容易に切り離すことができる。そして、上板と中板と底板両側方に備えた係合部を側板の挿通孔に挿入し、各係合部に形成された係止孔にくさび片を挿入するだけで小物入れ箱を組み立てることができる。従って、格別な切り離し工具を使用しなくても小物入れ箱組立キットから小物入れ箱を容易に組み立てることができ、小物入れ箱組立キットの利便性を大幅に向上することができるようになるものである。
【００１６】
また、請求項３の発明によれば、請求項１又は請求項２の各側板の挿通孔に上板、中板及び底板の係合部を挿入し、各係止孔にくさび片をそれぞれ挿入して組み立てた小物入れ箱の上孔及び中孔に複数の使用済み飲料用ボトルを挿入することにより構成されているので、例えば、請求項４及び請求項５の如く飲料用ボトルの口径を３０ｍｍ以上のアルミニウムボトルとすれば、強度も強く塗料や塗料の希釈材などの薬品を収納しても破損することがなく、ラジコン飛行機や自動車或いは模型に使用するネジやナット或いはワッシャなどの小物部品の内の大きなものや、薬品等を収納することが可能となる。これにより、大小様々な小物部品を分けて各ペットボトル内に収納することができるようになる。特に、使用済み飲料用ボトルを殆ど加工せずに利用することができるので、粉砕や選別に多大な手間がかからず廃棄された飲料用ボトルを有効に利用することができ、大幅な省資源化及び省エネルギー化を図ることが可能となる。従って、使用済み飲料用ボトルを利用した小物入れ箱組み立てキットを利用した小物入れ箱の実用効果を極めて向上させることができるようになるものである。
【００１７】
また、請求項６の発明によれば、請求項３の如く、飲料用ボトルは、透視可能なペットボトルとしたので、ペットボトル内を外部から視認することができる。これにより、ペットボトル内に収納した小物部品が、例えばラジコン飛行機や自動車或いは模型に使用するネジやナット或いはワッシャなどの小物部品であっても、それらの小物部品をペットボトル内から出さなくても外部から視認することができる。従って、使用済みペットボトルを利用した小物入れ箱組み立てキットを利用した小物入れ箱の実用効果を極めて向上させることができるようになるものである。特に、使用済みペットボトルを殆ど加工せずに利用することができるので、粉砕や選別に多大な手間がかからず廃棄された飲料用ボトルを有効に利用することができ、大幅な省資源化及び省エネルギー化を図ることができるようになるものである。
【発明を実施するための最良の形態】
【００１８】
本発明は、使用済み飲料用ボトルの粉砕や選別に多大な手間がかかってしまうのを防止するため、粉砕せずに再利用することを特徴とする。使用済み飲料用ボトルを粉砕せずに再利用するという目的を、小物入れ箱に使用することにより実現した。
【実施例１】
【００１９】
次に、図面に基づき本発明の実施の形態を詳述する。図１は本発明の一実施例を示す使用済み飲料用ボトル６０を収納した小物入れ箱５０の正面図、図２は同図１の使用済み飲料用ボトル６０を収納した小物入れ箱５０の平面図、図３は本発明の小物入れ箱５０を構成する上板１０及び中板２０の平面図、図４は同図３の上板１０及び中板２０の正面図、図５は本発明の小物入れ箱５０を構成する底板３０の平面図、図６は本発明の小物入れ箱５０を構成する側板４０の正面図をそれぞれ示している。
【００２０】
小物入れ箱５０は、図１、図２に示すように使用済み飲料用ボトル６０を収納し、この飲料用ボトル６０に図示しないがラジコン飛行機や自動車或いは模型に使用するネジやナット或いはワッシャ、塗料、オイルなどの小物部品を収納するもので、使用済みの飲料用ボトル６０を複数挿入可能な寸法の上孔１２が形成された上板１０と、この上板１０の下方に所定の間隔を存して設けられ、上孔１２に対向して飲料用ボトル６０を複数挿入可能な寸法の中孔２２が形成された中板２０と、この中板２０の下面に密着して設けられ、飲料用ボトル６０の下面を支持する底板３０と、これらの上板１０、中板２０及び底板３０の両側に設けられた一対の側板４０、４０とから構成されている。
【００２１】
上板１０と、中板２０と、底板３０、及び、側板４０は、それぞれ厚さ約１５ｍｍの合板にて構成されている。上板１０は、図３、図４に示すように長さ約３５０ｍｍ、幅約１７０ｍｍの縦長略矩形状に形成されると共に、長手方向両側には係合部１４が所定寸法突出（約２５ｍｍ）して設けられている。該係合部１４は上板１０の長手方向両側にそれぞれ２箇所設けられており、係合部１４は所定の間隔を存してそれぞれ略平行に設けられている。
【００２２】
各係合部１４には、板厚方向に貫通する係止孔１４Ａがそれぞれ形成されており、これらの係止孔１４Ａは後述する「くさび片４６」を挿入可能な大きさに形成されている。また、上板１０に貫通して上孔１２が設けられており、この上孔１２は上板１０の長手方向一端側から他端側に渡って所定の間隔で略平行に２列設けられている。該上孔１２は、後述する円筒形の飲料用ボトル６０を複数本（実施例では５本）挿入可能な大きさに形成されると共に、隣接する飲料用ボトル６０が相互に接触しないように挿入した飲料用ボトル６０の間を細く括れさせている。
【００２３】
即ち、上孔１２の所定位置を括れさせて波形に形成することにより、複数本挿入し隣接した飲料用ボトル６０が接触しないように構成している。該上孔１２は飲料用ボトル６０を容易に挿入できるように、飲料用ボトル６０より所定寸法大きく形成されており、この状態で、隣接する飲料用ボトル６０が括れによって相互に接触しないように形成されている。尚、上孔１２は飲料用ボトル６０を５本挿入できるように長手方向一端から他端に渡って設けず、長手方向一端側から他端側に渡って一本の飲料用ボトル６０に対して一つずつ上孔を隣接して５箇所設けると共に２列平行に設けても良い。
【００２４】
また、中板２０も上板１０同様長さ約３５０ｍｍ、幅約１７０ｍｍの縦長略矩形状に形成され、長手方向両側には係合部２４が所定寸法突出（約２５ｍｍ）して設けられている。該係合部２４は中板２０の長手方向両側にそれぞれ２箇所設けられ、両側の係合部２４、２４は所定の間隔を存して設けられている。各係合部２４には、板厚方向に貫通する係止孔２４Ａがそれぞれ形成されており、これらの係止孔２４Ａは後述する「くさび片４６」を挿入可能に形成されている。また、中板２０に貫通して飲料用ボトル６０を複数本挿入可能な中孔２２が設けられており、この中孔２２は中板２０の長手方向一端側から他端側に渡って所定の間隔で２列略並行に設けられている。即ち、中板２０は上板１０同様に構成されている。
【００２５】
また、底板３０は図５に示すように上板１０同様長さ約３５０ｍｍ、幅約１７０ｍｍの縦長略矩形状に形成されており、長手方向両側には係合部３４が所定寸法突出（約２５ｍｍ）して設けられている。該係合部３４は底板３０の長手方向両側にそれぞれ２箇所設けられ、両側の係合部３４、３４は所定の間隔を存して設けられている。各係合部３４には、板厚方向に貫通する係止孔３４Ａがそれぞれ形成されており、これらの係止孔３４Ａは後述する「くさび片４６」を挿入可能に形成されている。即ち、底板３０は上孔１２を設けていない上板１０同様に構成されている。
【００２６】
また、側板４０は図６に示すように幅約１７０ｍｍ、高さ約１１０ｍｍの横長略矩形状に形成されている。この側板４０には複数の挿通孔４２が設けられており、これらの挿通孔４２は、上板１０、中板２０及び底板３０の両側に設けられた各係合部１４、２４、３４をそれぞれ挿入可能な大きさに形成されている。該側板４０の上部側には、上板１０に設けた係合部１４を挿入可能に挿通孔４２が設けられている。この挿通孔４２は、係合部１４を挿入可能に形成されると共に、係合部１４より僅か大きく形成されている。
【００２７】
また、側板４０の下部側には、中板２０の下面に底板３０を密着させた状態で、中板２０と底板３０に設けた係合部２４、３４を挿入可能に挿通孔４２Ａが設けられている。この挿通孔４２Ａは、両係合部２４、３４を合わせた状態で挿入可能に形成されると共に、合わせた係合部２４、３４より僅か大きく形成されている。該上板１０、中板２０、底板３０の各係合部１４、２４、３４が側板４０の挿通孔４２、４２Ａに挿通された状態で、各係合部１４、２４、３４に設けた各係止孔１４Ａ、２４Ａ、３４Ａが側板４０より所定寸法突出し、突出した各係止孔１４Ａ、２４Ａ、３４Ａにくさび片４６を挿入できるように構成されている。
【００２８】
ここで、使用済み飲料用ボトル６０の説明を行う。飲料用ボトル６０としては一般的にアルミニウムボトル６２或いはペットボトル６４等が市販されている。本発明の小物入れ箱５０は飲料用ボトル６０の内のアルミニウムボトル６２を使用可能に構成している。該アルミニウムボトル６２は図７に示すように先端を開口した先細りの円筒形に形成され、直径約６６ｍｍ、高さ約１３０ｍｍ、先端口径約３０ｍｍの形状を呈しており、開口はネジ式の開閉自在の蓋６２Ａが取り付けられている。尚、現在市販されている一般的なアルミニウムボトルは約２０ｍｍの小さな口径であるが、約３０ｍｍの大きな口径のアルミニウムボトルも市販されている。
【００２９】
そして、大きな口径の使用済みアルミニウムボトル６２を洗浄してから水を切って乾燥した後、アルミニウムボトル６２内にラジコン飛行機や自動車或いは模型に使用するネジやナット或いは他の比較的大きな小物部品（この場合、開口からアルミニウムボトル６２内に収納できる大きさの小物部品）や塗料、オイルなどが収納され、蓋６２Ａが螺合され開口が閉塞される。そして、アルミニウムボトル６２内に収納した小物部品を使用するときは蓋６２Ａを外して中から必要部品を取り出し使用する。
【００３０】
この場合、アルミニウムボトル６２は透明でなく内部を透視して見えないので、一種類の小物部品を収納し、表面に部品名を記載しておけばアルミニウムボトル６２内に収納した部品名が一目瞭然で分かり便利である。即ち、小物入れ箱５０は、中の収容物が使用された後のアルミニウムボトル、特に口径約３０ｍｍと大きなアルミニウムボトル６２を使用できるように構成されている。尚、本発明では現在市販されているアルミニウムボトルの口径約３０ｍｍと大きなものを使用しているが、螺合により開閉可能な蓋を備えていればそれ以上大きな口径のアルミニウムボトルであっても差し支えない。
【００３１】
また、ペットボトル６４は、図８に示すように透視可能な透明ボトルが用いられる。該ペットボトル６４は、先端を開口した先細りの円筒形に形成され、直径約４５ｍｍ、高さ約１１８ｍｍ、口径約２０ｍｍの形状を呈しており、開口はネジ式の開閉自在の蓋６４Ａが取り付けられている。そして、ペットボトル６４にラジコン飛行機や自動車或いは模型に使用するネジやナット或いはワッシャなど比較的小さな小物部品（この場合、開口からペットボトル６４内に収納できる大きさの小物部品）などが収納され、蓋６４Ａが螺合され開口が閉塞される。そして、ペットボトル６４内に収納した小物部品を使用するときは蓋６４Ａを外して中から必要部品を取り出して使用する。
【００３２】
この場合、ペットボトル６４は透明ボトルであり内部を透視して見えるので、一種類の小物部品を収納し、表面に部品名を記載しなくてもペットボトル６４内に収納した部品が一目瞭然で分かり便利である。また、表面に部品名を記載しておけば更に収納した部品名が分かり易く便利である。即ち、小物入れ箱５０は、飲料用ボトル６０内に収容された収容物が飲み干された後のペットボトル、特に口径約２０ｍｍの一般的なペットボトルを使用できるように構成されている。尚、現在市販されているペットボトルは口径が小さな約２０ｍｍのものが一般的であるが、螺合により開閉可能な蓋があればそれ以上大きな口径のペットボトルであっても差し支えない。
【００３３】
該小物入れ箱５０は、中の収容物が使用された後のペットボトル６４を使用できるように構成されている。係る小物入れ箱５０にペットボトル６４を使用する場合、本発明の要旨を逸脱しない範囲で、小物入れ箱５０の寸法及び形状をペットボトル６４に合わせる必要がある。尚、ペットボトル６４は、透明ボトルに限られず、透視可能であれば、緑色、黄色、水色、青色、或いは、ピンク色などに薄く着色されていても差し支えない。また、内部が見えないように着色されているペットボトルでも使用することができるのは勿論である。
【００３４】
一方、前記くさび片４６は、各係合部１４、２４、３４に設けた各係止孔１４Ａ、２４Ａ、３４Ａに挿入可能な大きさにて構成されている。このくさび片４６は、角柱形で先細りに形成されており、上板１０、中板２０、底板３０の各係合部１４、２４、３４が側板４０の挿通孔４２、４２Ａに挿通され、各係合部１４、２４、３４に設けた各係止孔１４Ａ、２４Ａ、３４Ａが側板４０より所定寸法突出した状態で、突出した各係止孔１４Ａ、２４Ａ、３４Ａに挿入できるように構成されている。尚、側板４０の上部側に設けた挿通孔４２側には短いくさび片４６、下部側に設けた挿通孔４２Ａに挿入される係合部１４と２４、３４には長いくさび片４６が用いられる。
【００３５】
そして、小物入れ箱５０を組み立てる場合、図９に示すように側板４０の上部側に設けた挿通孔４２に上板１０に設けた一側の係合部１４を挿入し、中板２０と底板３０を密着させ、中板２０を上板１０側に位置させた状態で中板２０と底板３０に設けた一側の係合部２４、３４を底板３０の下部側に設けた挿通孔４２Ａに挿入する。同様に上板１０、中板２０、底板３０の他側に突出した係合部１４、２４、３４を他の側板４０に設けた挿通孔４２、４２Ａに挿入する。
【００３６】
そして、図１０に示すように挿通孔４２、４２Ａに挿入され突出した係合部１４、２４、３４の係止孔１４Ａ、２４Ａ、３４Ａにくさび片４６を先細り側から挿入して、側板４０と上板１０、中板２０、底板３０を固定すると共に、反対側も固定する。この場合、各係止孔１４Ａ、２４Ａ、３４Ａは側板４０内部まで形成されると共に、くさび片４６より僅か短い寸法側板４０より突出している。
【００３７】
これにより、各係止孔１４Ａ、２４Ａ、３４Ａにくさび片４６が挿入されたとき、側板４０は上板１０、中板２０、底板３０側に押し付けられて、側板４０と上板１０、中板２０、底板３０が強固に固定され、くさび片４６は抜けなくなる。尚、中板２０と底板３０とを固定した長いくさび片４６で上板１０を固定しても差し支えない。この場合、くさび片４６の長さを共通化することができるので管理が容易となり便利である。
【００３８】
このようにして組み立てられた小物入れ箱５０の上孔１２及び中孔２２に複数の使用済み飲料用ボトル６０が挿入される。即ち、小物入れ箱５０は、各側板４０の挿通孔４２に上板１０、中板２０及び底板３０の係合部１４を挿入し、各係止孔１４Ａ、２４Ａ、３４Ａにくさび片４６を挿入して組み立てて、上孔１２及び中孔２２に複数の使用済み飲料用ボトル６０を挿入することにより構成している。
【００３９】
このように小物入れ箱５０は、一対の側板４０、４０に設けた各挿通孔４２に、上板１０、中板２０及び底板３０の各係合部１４、２４、３４を挿入し、各係止孔１４Ａ、２４Ａ、３４Ａにくさび片４６を挿入して組み立てている。この小物入れ箱５０は、組み立てた小物入れ箱５０の上孔１２及び中孔２２に、複数の使用済み飲料用ボトル６０を挿入できるように構成しているので、飲料用ボトル６０の口径を３０ｍｍ以上のアルミニウムボトル６２とすることにより、強度も強く塗料や塗料の希釈材、オイルなどを収納しても破損することがない。
【００４０】
これにより、ラジコン飛行機や自動車或いは模型に使用するネジやナット或いはワッシャなどの小物部品の内の大きなものや、塗料や塗料の希釈材、オイルなどを収納することが可能となる。特に、使用済みアルミニウムボトル６２を洗浄するだけで殆ど加工せずに利用することができるので、粉砕や選別に多大な手間がかからずに廃棄しなければならないアルミニウムボトル６２を有効に利用することができ、大幅な省資源化及び省エネルギー化を図ることができるようになる。
【００４１】
また、飲料用ボトル６０を透視可能なペットボトル６４とすることにより、ペットボトル６４内を外部から視認することができる。これにより、ペットボトル６４内に収納した小物部品が、ラジコン飛行機や自動車或いは模型に使用するネジやナット或いはワッシャなどの小物部品であっても、それらの小物部品をペットボトル６４内から出して視認する以前に外部から視認することができ便利である。特に、使用済みペットボトル６４を洗浄するだけで殆ど加工せずに利用することができるので、粉砕や選別に多大な手間がかからず廃棄された飲料用ボトル６０を有効に利用することができ、大幅な省資源化及び省エネルギー化を図ることができるようになるものである。
【００４２】
このような小物入れ箱５０が小物入れ箱組立キット５４として作られる。即ち、小物入れ箱組立キット５４は、二枚のベース板５６に小物入れ箱５０の組み立て部品を分けて設けている。両ベース板５６は、長さ約４００ｍｍ、幅約３７０ｍｍ、厚さ約１５ｍｍ（上板１０の厚さ）に形成されており、一枚目のベース板５６には、図１１に示すように上板１０と中板２０を設けると共に、二枚目のベース板５６には、図１２に示すように底板３０と一対の側板４０と８個のくさび片４６（小物入れ箱５０の組み立てに必要な数）を設けている。
【００４３】
一枚目のベース板５６に設けた上板１０及び中板２０はレーザー切断機にて周囲が切断される。この場合、上孔１２と中孔２２の周囲にはベース板５６との接続部５８（切断していない箇所）が複数箇所設けられている。これによって、ベース板５６に上板１０及び中板２０が一体に設けられると共に、ベース板５６から上板１０及び中板２０を手で容易に切り離せるように接続部５８を構成している。
【００４４】
また、二枚目のベース板５６に設けた底板３０と、一対の側板４０と、８個のくさび片４６も同様にレーザー切断機にて周囲が切断され、これら底板３０と、一対の側板４０と、８個のくさび片４６の周囲にはベース板５６との接続部５８（切断していない箇所）が複数箇所設けられている。このベース板５６の一側には底板３０が配置され、その下側に側板４０が左右に配置されると共に、両側板４０の下に８個のくさび片４６が配置されている。
【００４５】
そして、接続部５８によって、ベース板５６に底板３０と、一対の側板４０と、８個のくさび片４６が一体に設けられると共に、ベース板５６から底板３０と、一対の側板４０と、８個のくさび片４６を手で容易に切り離せるように構成している。これによって、一枚目のベース板５６と二枚目のベース板５６とを同じ大きさに形成し、二枚のベース板５６にて構成した小物入れ箱組立キット５４を持ち運び易くしている。尚、上板１０、中板２０、底板３０、一対の側板４０、８個のくさび片４６を一枚のベース板５６に一体に形成しても差し支えない。
【００４６】
このように、上述の小物入れ箱５０を構成する上板１０と中板２０と底板３０と側板４０及びくさび片４６等を、一枚若しくは複数枚のベース板５６（実施例では一枚目と二枚目を各一枚使用）に切り離し可能に構成しているので、ベース板５６から上板１０、中板２０、底板３０、側板４０及びくさび片４６などの部品を切り離さなければ、それらの部品が紛失してしまうのを確実に防止することができるようになると共に容易に持ち運ぶことができる。
【００４７】
また、一枚若しくは複数枚のベース板５６に小物入れ箱５０を構成する上板１０、中板２０、底板４０、側板４０及びくさび片４６などの部品を切り離し可能に設けているので、小物入れ箱組立キット５４の全部品点数を容易に把握することができる。これにより、小物入れ箱組立キット５４を店頭に並べての販売や、持ち帰り或いは取り扱いに便利である。
【実施例２】
【００４８】
次に、図１３には本発明の他の一実施例の小物入れ箱５０を示している。該小物入れ箱５０は前述の実施形態と同様飲料用ボトル６０を収納可能に構成されている。以下、異なる部分について説明する。尚、前述の実施の形態と同じ部分にはこれと同じ符号を付し、説明を省略する。小物入れ箱５０は、図１３に示すように、２列の上板１０と、各上板１０の前側にそれぞれ傾斜して設けられた斜板１６と、上板１０の下方に所定の間隔を存して設けられた中板２０及び斜板１６の下方に所定の間隔を存して設けられた中板１７と、この中板２０の下面に密着して設けられた底板３０及び中板１７の下面に密着して設けられた底板１８と、上板１０、中板２０、斜板１６及び底板３０の両側に設けられた一対の側板４０と、くさび片４６とから構成されている。尚、図１３では飲料用ボトル６０を図示していない。
【００４９】
上板１０は、図１４に示すように円形の上孔１５が複数設けられており、他は前述同様に構成されている。即ち、上板１０は前述の上孔１２の代わりに複数の円形の上孔１５が設けられており、これらの円形の各上孔１５にはそれぞれアルミニウムボトル６２を一本一本挿入可能に構成されている。各上孔１５は上板１０の長手方向一端側から他端側に渡って所定の間隔で５箇所形成されると共に、２列設けられている。該上孔１５はアルミニウムボトル６２より僅か大きく形成されて当該アルミニウムボトル６２を一本だけ挿入可能な大きさに形成されると共に、隣接する上孔１５は略接して設けられている。また、中板２０は上板１０同様に構成されると共に、図１５に示すように底板３０は前述同様に構成されている。
【００５０】
また、斜板１６は図１６に示すように長さ約３５０ｍｍ、幅約９０ｍｍの縦長に形成され、長手方向両側には前述同様係止孔１４Ａが設けられた係合部１４が所定寸法突出して設けられている。該係合部１４は斜板１６の長手方向両側の略中心にそれぞれ１箇所設けられている。該斜板１６には、上板１０同様円形の上孔１５が設けられており、この上孔１５は斜板１６の長手方向一端側から他端側に渡って所定の間隔で１列設けられている。この場合、斜板１６は上板１０の幅を１／２にして上孔１５を１列設けたものであり、底板１８は斜板１６から上孔１５を削除したものである。尚、中板１７は、斜板１６と同様に形成されている。
【００５１】
また、側板４０は図１７に示すように、２列の上板１０と各上板１０の前側にそれぞれ傾斜して設けられた斜板１６に対応した階段状に上辺が形成されている。この場合、側板４０の後部側の上部に水平に上板１０が設けられ、その前側に前方を下方に傾斜した斜板１６が設けられ、その前側に後部側の上板１０に対して一段下がって上板１０が水平に設けられると共に、この上板１０の前側に前方を下方に傾斜した斜板１６が設けられる。該斜板１６に設けた上孔１５には、斜板１６に直交してアルミニウムボトル６２が挿入される。この場合、アルミニウムボトル６２は小物入れ箱５０に対して斜めに挿入されるので取り扱い性が向上する。
【００５２】
また、側板４０には２列の上板１０と各斜板１６及び底板３０に設けた各係合部１４、３４に対応して挿通孔４２、４２Ａがそれぞれ貫通して設けられている。尚、ペットボトル６４用の上孔１５を斜板１６に設け、アルミニウムボトル６２用の上孔１５に上板１０に設ければ、比較的大きな部品及び小さな部品を区別して収納することができ、小物入れ箱５０の利便性を極めて向上させることができる。
【００５３】
この小物入れ箱５０も小物入れ箱組立キット５４として作られる。即ち、小物入れ箱組立キット５４は、五枚のベース板５６に小物入れ箱５０の組み立て部品を分けて配置している。該四枚のベース板５６は、長さ約５８５ｍｍ、幅約５３５ｍｍ、厚さ約１５ｍｍ（上板１０の厚さ）に形成され、残りの一枚のベース板５６は、長さ約５８５ｍｍ、幅約４００ｍｍ、厚さ約１５ｍｍ（上板１０の厚さ）に形成されている。
【００５４】
即ち、一枚目、二枚目のベース板５６（二枚目は図示せず）には、図１８に示すように二枚の上板１０と、一枚の底板１８（中板１７に密着して設ける板）を平行に配置し、三枚目、四枚目のベース板５６（四枚目は図示せず）には、図１９に示すように二枚の斜板１６と、一枚の底板３０を平行に配置している。また、五枚目のベース板５６には、図２０に示すように一対の側板４０、４０と、２４個のくさび片４６（小物入れ箱５０の組み立てに必要な数）を配置している。
【００５５】
該一枚目（二枚目も含む）のベース板５６に設けた上板１０及び底板１８はレーザー切断機にて周囲が切断される。この場合、上孔１２と底板１８の周囲にはベース板５６との接続部５８（切断していない箇所）が複数箇所設けられている。この接続部５８によって、ベース板５６に上板１０及び底板１８が一体に設けられると共に、ベース板５６から上板１０及び底板１８を手で容易に切り離せるように構成している。
【００５６】
また、三枚目（四枚目も含む）のベース板５６に設けた斜板１６と底板３０も同様にレーザー切断機にて周囲が切断され、これら斜板１６と底板３０の周囲にはベース板５６との接続部５８（切断していない箇所）が複数箇所設けられている。この接続部５８によって、ベース板５６に斜板１６と底板３０が一体に設けられると共に、ベース板５６から斜板１６と底板３０を手で容易に切り離せるように構成している。
【００５７】
また、五枚目のベース板５６に設けた一対の側板４０と、２４個のくさび片４６も同様にレーザー切断機にて周囲が切断される。これら一対の側板４０と、２４個のくさび片４６の周囲にはベース板５６との接続部５８（切断していない箇所）が複数箇所設けられている。このベース板５６には相互に対象に側板４０が配置されると共に、一段下がって上板１０が配置される箇所となる側板４０の段差部近傍に２４個のくさび片４６が配置されている。
【００５８】
そして、接続部５８によって、ベース板５６に底板３０と、一対の側板４０と、２４個のくさび片４６が一体に設けられると共に、ベース板５６から底板３０と、一対の側板４０と、２４個のくさび片４６を手で容易に切り離せるように構成している。これによって、一枚目のベース板５６（二枚目のベース板５６を含む）と、三枚目のベース板５６（四枚目のベース板５６を含む）とを同じ大きさに形成すると共に、五枚目のベース板５６を一枚目〜四枚目のベース板５６より小さく形成し、五枚のベース板５６にて構成した小物入れ箱組立キット５４を持ち運び易くしている。尚、本発明の要旨を逸脱しない範囲で、ベース板５６を一枚〜五枚、或いはそれ以上の枚数で小物入れ箱組立キット５４を構成しても差し支えない。
【００５９】
このように、上述の小物入れ箱５０を構成する上板１０と斜板１６と中板２０と底板３０と側板４０及びくさび片４６などを、複数枚のベース板５６（実施例では五枚）にて切り離し可能に構成しているので、ベース板５６から上板１０、斜板１６、中板２０、底板３０、側板４０及びくさび片４６などの部品を切り離さなければ、それらの部品が紛失してしまうのを確実に防止することができるようになると共に容易に持ち運ぶことができる。
【００６０】
また、複数枚のベース板５６に小物入れ箱５０を構成する上板１０、斜板１６、中板２０、底板４０、側板４０及びくさび片４６などの部品を切り離し可能に設けているので、小物入れ箱組立キット５４の全部品点数を容易に把握することができる。これにより、小物入れ箱組立キット５４を店頭に並べての販売や、持ち帰り或いは取り扱いなどに便利である。
【００６１】
尚、実施例では小物入れ箱５０に口径約３０ｍｍ或いはそれ以上大きなアルミニウムボトル６２としたが、小物入れ箱５０は、螺合にて開閉可能な蓋を備えていれば口径約２０ｍｍの通常のアルミニウムボトルを用いても差し支えない。
【００６２】
また、使用済み飲料用ボトル６０にシールや塗装などで販売店或いは製造者名などを記載すれば効果的な宣伝効果も期待することができ、更に小物入れ箱組立キット５４及び小物入れ箱５０の普及を図ることができるようになる。従って、使用済み飲料用ボトル６０の廃棄量の低減、及び、地球環境汚染の問題低減にも寄与することができるようになるものである。
【００６３】
また、小物入れ箱５０を上板１０、中板２０、底板３０及び側板４０にて構成すると共に、それらの部品を所定の寸法で構成したが、小物入れ箱５０の構成部品及び寸法はこれらに限られるものでない。また、小物入れ箱５０は、本発明の要旨を逸脱しない範囲で、飲料用ボトル６０を５本以上或いは他の寸法の飲料用ボトルなどを使用できるようにするなど種々変更可能であることは言うまでもない。
【図面の簡単な説明】
【００６４】
【図１】本発明の一実施例を示す使用済み飲料用ボトルを収納した小物入れ箱の正面図である（実施例１）。
【図２】同図１の使用済み飲料用ボトルを収納した小物入れ箱の平面図である。
【図３】本発明の小物入れ箱を構成する上板及び中板の平面図である。
【図４】同図３の上板及び中板の正面図である。
【図５】本発明の小物入れ箱を構成する底板の平面図である。
【図６】本発明の小物入れ箱を構成する側板の正面図である。
【図７】本発明の小物入れ箱に使用する使用済み飲料用ボトル（アルミニウムボトル）の正面図である。
【図８】本発明の小物入れ箱に使用する使用済み飲料用ボトル（ペットボトル）の正面図である。本発明の一実施例を示す使用済み飲料用ボトルを収納するための小物入れ箱の平面図である。
【図９】本発明の小物入れ箱の平面図である。
【図１０】同図７の小物入れ箱の正面図である。
【図１１】本発明の小物入れ箱を構成する部品を一部配置した小物入れ箱組立キットの平面図である。
【図１２】同図１１の小物入れ箱を構成する部品と組み合わせることで一組になる小物入れ箱組立キットの平面図である。
【図１３】本発明の他の一実施例を示す使用済み飲料用ボトルを収納するための小物入れ箱の正面図である（実施例２）。
【図１４】本発明の小物入れ箱を構成する上板及び中板の平面図である。
【図１５】本発明の小物入れ箱を構成する底板の平面図である。
【図１６】本発明の小物入れ箱を構成する斜板の平面図である。
【図１７】本発明の小物入れ箱を構成する側板の正面図である。
【図１８】本発明の小物入れ箱を構成する部品を一部配置した小物入れ箱組立キットの平面図である。
【図１９】小物入れ箱を構成する部品を一部配置したもう一つの小物入れ箱組立キットの平面図である。
【図２０】同図１８、図１９の小物入れ箱を構成する部品と組み合わせることで一組になる小物入れ箱組立キットの平面図である。
【符号の説明】
【００６５】
１０  上板
１２  上孔
１４  係合部
１４Ａ  係止孔
２０  中板
２２  中孔
２４  係合部
２４Ａ  係止孔
３０  底板
３４  係合部
３４Ａ  係止孔
４０  側板
４２  挿通孔
４２Ａ  挿通孔
４６  くさび片
５０  小物入れ箱
５４  小物入れ箱組立キット
５６  ベース板
５８  接続部
６０  飲料用ボトル
６２  アルミニウムボトル
【図１】
2005334569.tif 000003
【図２】
2005334569.tif 000004
【図３】
2005334569.tif 000005
【図４】
2005334569.tif 000006
【図５】
2005334569.tif 000007
【図６】
2005334569.tif 000008
【図７】
2005334569.tif 000009
【図８】
2005334569.tif 000010
【図９】
2005334569.tif 000011
【図１０】
2005334569.tif 000012
【図１１】
2005334569.tif 000013
【図１２】
2005334569.tif 000014
【図１３】
2005334569.tif 000015
【図１４】
2005334569.tif 000016
【図１５】
2005334569.tif 000017
【図１６】
2005334569.tif 000018
【図１７】
2005334569.tif 000019
【図１８】
2005334569.tif 000020
【図１９】
2005334569.tif 000021
【図２０】
2005334569.tif 000022